(57)【特許請求の範囲】
【請求項１】
厨芥が投入される厨芥収納容器と、前記厨芥を撹拌する撹拌手段と、前記厨芥収納容器の上方かつ流し台の水槽に配された厨芥投入部と、上部、下部に各々開口部を有する支持部材と、前記支持部材の軸方向に直交して回動自在に軸支され、前記支持部材と共に前記厨芥投入部を構成する回転軸と、前記回転軸に設けられて厨芥が一時的に収納される凹部と、前記凹部に設けられた開口部とを備え、前記凹部の開口部が前記支持部材の下部の開口部側になるように前記回転軸を回転させることで、前記厨芥投入部を構成する支持部材の上部の開口部から前記凹部に一時的に収納された厨芥が前記凹部の開口部から前記厨芥収納容器に投入される厨芥処理装置。
【発明の詳細な説明】
【０００１】
【発明の属する技術分野】
本発明は、生ゴミ等の厨芥を処理する厨芥処理装置に関するものである。
【０００２】
【従来の技術】
従来の厨芥処理装置としては、生ゴミを粉砕して下水へ流すディスポーザーや、生ゴミを粉砕・脱水して回収する生ゴミ脱水機がある。ディスポーザーは、下水処理施設のない地域では河川を汚し、環境汚染の原因になる。一方、生ゴミ脱水機は、脱水した生ゴミを回収するので直接には環境汚染の原因にはならないが、回収した生ゴミは放置しておくと腐敗しやすく、悪臭を発生する。そのために、脱臭回収した生ゴミを低温で保管したり、頻繁に公共のゴミ収集場所へ出して、処理しなければならない。
【０００３】
また近年では、生ゴミ等の厨芥を乾燥し減量する厨芥乾燥処理機がある。
【０００４】
以下に従来の厨芥乾燥処理機について説明する。図９に従来の厨芥乾燥処理機を示す。
【０００５】
図９において、１は厨芥収納容器であり、生ゴミ等の厨芥２を撹拌する撹拌はね３を内蔵している。４は撹拌はね３を駆動するモーターである。５は厨芥収納容器１を密閉するための蓋であり、ヒーター６、ファン７で構成される加熱手段を内蔵している。８は蓋５を回転支持する蝶番であり、９は蓋５を密閉支持するための尾錠である。１０は蓋５の開閉レバーで、尾錠９に当接するように配されている。１１は排水タンクであり配管パイプ１２を介して凝縮器１３に着脱可能に連結されている。１４は冷却ファンであり、１５は処理中に発生する臭いを軽減するための触媒である。
【０００６】
以上のように構成された厨芥乾燥処理機について、以下その動作を説明する。
【０００７】
まず、開閉レバー１０により蓋５を開ける。次に流し台などで発生した生ゴミ等の厨芥を厨芥収納容器１に入れ蓋５を閉める。この状態で厨芥乾燥処理機を運転すると、厨芥２は、撹拌はね３により撹拌されるとともに、ヒーター６およびファン７により加熱され水蒸気を発生しながら乾燥処理されていく。処理中に発生する水蒸気は凝縮器１３により結露して配管パイプ１２を経由して排水タンク１１にたまるようになっている。このようにして乾燥処理が完了すると、開閉レバー１０により蓋５を開けて厨芥収納容器１を厨芥乾燥処理機から取り出して厨芥収納容器１内の厨芥を処理する。
【０００８】
【発明が解決しようとする課題】
しかしながら上記の従来の構成では、生ゴミ等の厨芥を厨芥収納容器１に入れる都度、蓋５を開閉する必要があり、処理準備に手間がかかるとともに、蓋５を開閉するためのデッドスペースを多く必要とするため、生ゴミ等の厨芥の主たる発生場所である流し台の中に装置を設置することが困難であるという問題点を有していた。
【０００９】
本発明は、上記従来の厨芥処理装置の問題点を解決するもので、厨芥の主たる発生現場である台所の流し台に厨芥処理装置を設置することにより、厨芥が発生する都度、その場で乾燥減量処理し、厨芥処理の手間を軽減し台所を衛生的にする厨芥処理装置を提供することを目的とするものである。
【００１０】
【課題を解決するための手段】
上記目的を達成するために本発明は、厨芥が投入される厨芥収納容器と、前記厨芥を撹拌する撹拌手段と、前記厨芥収納容器の上方かつ流し台の水槽に配された厨芥投入部と、上部、下部に各々開口部を有する支持部材と、前記支持部材の軸方向に直交して回動自在に軸支され、前記支持部材と共に前記厨芥投入部を構成する回転軸と、前記回転軸に設けられて厨芥が一時的に収納される凹部と、前記凹部に設けられた開口部とを備え、前記凹部の開口部が前記支持部材の下部の開口部側になるように前記回転軸を回転させることで、前記厨芥投入部を構成する支持部材の上部の開口部から前記凹部に一時的に収納された厨芥が前記凹部の開口部から前記厨芥収納容器に投入される構成の厨芥処理装置で、社会的ニーズである生ゴミ等の厨芥の処理において、厨芥の主たる発生場所である流し台の中に厨介処理装置が設置でき、生ゴミ等の厨芥を簡単に乾燥、減量することができ、手間を省略することができる。
【００１１】
【発明の実施の形態】
本発明の請求項１記載の発明は、厨芥が投入される厨芥収納容器と、前記厨芥を撹拌する撹拌手段と、前記厨芥収納容器の上方かつ流し台の水槽に配された厨芥投入部と、上部、下部に各々開口部を有する支持部材と、前記支持部材の軸方向に直交して回動自在に軸支され、前記支持部材と共に前記厨芥投入部を構成する回転軸と、前記回転軸に設けられて厨芥が一時的に収納される凹部と、前記凹部に設けられた開口部とを備え、前記凹部の開口部が前記支持部材の下部の開口部側になるように前記回転軸を回転させることで、前記厨芥投入部を構成する支持部材の上部の開口部から前記凹部に一時的に収納された厨芥が前記凹部の開口部から前記厨芥収納容器に投入されるもので、厨芥の主たる発生場所である流し台の中に厨介処理装置が設置でき、生ゴミ等の厨芥を簡単に乾燥、減量することができ、手間を省略することができる。また、流し台の水槽の上から流し台の下に設置された厨介処理装置の厨芥処理容器の中に厨芥が投入でき、厨芥の保管さらには移載といった手間を省略することができる。
【００１２】
【実施例】
（実施例１）
以下本発明の一実施例の厨芥処理装置について、図面を参照しながら説明する。
【００１３】
図１に本発明の第１の実施例における厨芥処理装置の全体を示し、この装置は流し台に組みこまれた状態である。図１において、１６は外容器１７に取り出し自在に配置された厨芥収納容器である。厨芥収納容器１６内には厨芥１８を粉砕する撹拌手段として固定刃１９、回転刃２０が設けられている。回転刃２０は、外容器１７に取り付けられた撹拌モーター２１の出力軸に取り外し自由に連結されている。２２は一対の摺動自在なスライドガイドであり、本体フレーム２３に回転軸２４により矢印方向に回動自在に軸支されている。
【００１４】
２５は底板であり、ブラケット２６、２７によりスライドガイド２２に連結され、さらに支柱２８および支柱板２９を介して前記外容器１７を支持している。３０は尾錠であり、ピン３１を介して支柱板２９に回転自在に支持されている。３２は圧縮ばね、３３はばね受けであり、支柱板２９に固定されている。３４は前面パネルで、支持棒３５により支柱板２９に固定されている。３６は尾錠３０に係合する金具であり天板３７に固定されている。天板３７にはパッキン３８が取り付けられ、外容器１７の上面に当接し厨芥収納容器１６および水蒸気を排出するための排出経路３９を密閉する構造になっている。
【００１５】
４０は天板３７に固定され、空気を逆止弁７２の吸気口８１（図４参照）から取り入れヒーター４１に当てて熱風にして前記厨芥収納容器１６内に送りこむ送風ファンである。４２は前記熱風が外に逃げないためのカバーであり、前記ヒーター４１を固定支持するとともに天板３７に固定されている。４３は操作部、４４は乾燥手段を制御する制御回路であり、８０は外容器１７の上部に配され、厨芥１８の乾燥処理中に発生する水蒸気の温度を検知し、厨芥１８の乾燥状態を把握するための温度センサーである。
【００１６】
４５は厨芥投入部であり、厨芥投入部４５は、上部、下部に各々開口部４６、４７を有するとともに、開口部４６の外側に水槽５７から流れこむ水を排水するための外周溝７９を有した支持部材４８と、支持部材４８の軸方向に直交し回動自在に軸支された回転軸５０とで構成されている。回転軸５０には、厨芥１８を一時的に収納するための凹部５１と、凹部５１に流れこんでくる水を排水するための排水口５２（図３参照）が設けられている。５３、５４は回転軸５０を支持部材４８に軸方向において固定するための押さえ板で、水漏れしないようにＯリング（図示せず）などのシール機能を介して支持部材４８に（図５参照）固定されている。５５は支持部材４８に設けられたねじに累合するナットである。支持部材４８は流し台５６の水槽５７に設けられた排水口５８にパッキン５９を介して前記ナット５５により固定されている。
【００１７】
図２において、６０はモーターであり、モーター６０に固定されたプーリー６１、ベルト６２および前記回転軸５０に固定されたプーリー６３を介して回転軸５０を回転駆動させる。６６は天板３７に設けられ、送風ファン４０およびヒーター４１で発生する熱風を厨芥収納容器１６へ送りこむための通風穴である。
【００１８】
６７は流し台で使用する水道水を排水するためのホースであり、前記回転軸５０に設けられた排水口５２に連絡される排水パイプ６８に配管されるとともに、前記支持部材４８に配管され排水パイプ６９（図３参照）と合流して水道水を厨芥投入部４５からトラップ７０へ排水する。トラップ７０は防臭のために一般的に設けられるものであり家庭排水管７１に配管されている。
【００１９】
図４において、７２は生ゴミ収納容器１６内から吸気口８１への空気（臭い）の逆流を防止するための逆止弁であり、天板３７に固定された送風ファン４０の直下に配置されている。７３は逆止弁を構成するボールである。ボール７３は、送風ファン４０の作動による空気の吸入力により浮き上がり空気の取り入れを可能とし、送風ファン４０の作動停止により自重で落下し吸気口８１を塞ぐように構成されている。
【００２０】
７４はじゃばら等でできている伸縮自在な排気ホースであり、排気ホース７４の一方は外容器１７の下部に取り付けられた配管継手７５に接続され他の一方は排気ファン７６に接続されてトラップ７０への排気経路が構成されている。７７は排気ファン７６の取り付け部材で、７８はトラップ７０に排気経路を配管するホースである。
【００２１】
以上のように構成された厨芥処理装置について、図１〜図６を用いてその動作を説明する。発生した生ゴミ等の厨芥は、流し台の水槽の排水口５８に設けられた厨芥投入部４５の開口部４６から回転軸５０に設けられた凹部５１にいったん収納される。このとき厨芥１８とともに凹部５１に入った水道水は排水口５２から排水パイプ６８、排水ホース６７、トラップ７０を経て家庭排水管７１に流される。次に、モーター６０を駆動させて、回転軸５０の凹部５１の開口部が開口部４７側になるように回転軸５０を回転させる（図５参照）。これにより、前記収納された厨芥１８は、厨芥収納容器１６に落下投入される。
【００２２】
次に回転軸５０は、回転軸５０の有する凹部５１の開口部が厨芥投入部４５の開口部４６に連通する位置にモーター６０の作動により位置決めされる。この状態で流し台の水道水を流しても、凹部５１に設けられた排水口５２からトラップ７０に排水されるため厨芥収納容器１６の中に水道水は入らない。また水道水は支持部材４８に設けられた外周溝７９から排水パイプ６９を経てトラップ７０に排水できるようにも構成されている。
【００２３】
厨芥収納容器１６に落下投入された厨芥１８は、吸気口８１から吸入され送風ファン４０、ヒーター４１の作動により、通風穴６６を通って厨芥収納容器１６内に拡散される熱風により加熱される。また厨芥１８に均一に熱風が当たるように撹拌モーター２１を作動させ固定刃１９および回転刃２０により厨芥１８を撹拌粉砕する。
【００２４】
加熱撹拌により生ゴミ等の厨芥から発生する水蒸気および臭いは、送風ファン４０の送風圧力と排気ファン７６の作動により厨芥収納容器１６の上端部と天板３７との隙間ａをへ、さらに厨芥収納容器１６と外容器１７の隙間ｂを経て外容器１７の底部に設けられた配管継手７５、排気ホース７４、トラップ７０を通過して家庭排水管７１に排出される。
【００２５】
生ゴミ等の厨芥から水蒸気が発生しているときは、外容器１７の上部外壁に設けられた温度センサー８０の温度は、水蒸気の温度と略等しく１００℃近くになる。そして生ゴミ等の厨芥の乾燥が進み、水蒸気の発生が減少し温度センサー８０の取り付けられた外容器１７内側への流入量が減ると温度センサー８０により検知される温度が低下してくる。そして、温度センサー８０による検知温度が前記制御回路４４に設定された温度以上低下すると、乾燥を終了させヒーター４１の発熱を停止する。
【００２６】
処理中に発生した臭いは、前記制御回路４４により一定時間作動する送風ファン４０と排気ファン７６により排出経路から家庭排水管７１へ排出される。このように臭いを排出した後、厨芥処理装置の運転を停止する。
【００２７】
送風ファン４０が停止すれば、送風ファン４０の真下に設置された逆止弁７２に内蔵したボール７３が自重により落下して逆止弁７２の吸気口８１を塞ぎ、厨芥処理容器１６内の空気（臭い）が吸気口８１から外へ漏れ出すことはない。
【００２８】
このようにして乾燥処理された後、人手により尾錠３０をはずして、取っ手をもってスライドガイド２２に搭載された外容器１７を厨芥処理装置の筐体から引き出し（図６参照）、厨芥収納容器１６内の減量処理された厨芥を廃棄する。このとき排気ファン７６を作動させていれば、厨芥収納容器１６内は負圧になり臭いは部屋にもれる事なく排出経路３９から排気ファン７６を経て家庭排水管７１へ排出される。
【００２９】
（実施例２）
以下本発明の第２の実施例について図７、図８を参照しながら説明する。
【００３０】
第１の実施例（図１〜図６）の構成と異なるものは、厨芥投入部である。８５は水槽５７にナット８６により固定された厨芥投入部であり、厨芥投入部８５は上下に開放された厨芥投入パイプ８７を内蔵するとともに、厨芥投入パイプ８７の外周には流し台５６で使用する水道水を排水するための排水溝８８が設けられた２重構造に構成されている。８９は厨芥収納容器１６内への水道水の進入を防止する蓋である。９０は排水パイプであり、前記排水溝８８と排水トラップ７０に配管され、流し台５６で使用する水道水を排水パイプ９０を経て家庭排水管７１へ排水する。９１は水道水の流し台内部への進入を防止するパッキンで（図８参照）、９２は水槽５７から排水溝８８へのゴミの進入を防止する金網である。
【００３１】
上記のように構成された厨介処理装置についてその動作を説明する。発生する生ゴミ等の厨芥は、蓋８９を人手により取はずし厨芥投入口８７から厨芥収納容器１６に投入される。生ゴミ等の厨芥投入が完了すれば、蓋８９を取りつけて厨芥処理装置が運転され生ゴミ等の厨芥の乾燥処理が行われる。乾燥処理中に流し台の水道水を使用しても、水は投入部８５に設けられた排水溝８８から排水パイプ９０、トラップ７０を経由して家庭排水管７１に排水される。
【００３２】
【発明の効果】
以上のように本発明によれば、社会的ニーズである生ゴミ等の厨芥の処理において、厨芥の主たる発生場所である流し台の中に厨介処理装置が設置でき、生ゴミ等の厨芥を簡単に乾燥、減量することができ、手間を省略することができる。
【図面の簡単な説明】
【図１】  本発明の第１の実施例における厨芥処理装置の側面断面図
【図２】  同厨芥処理装置の平面図
【図３】  同厨芥処理装置投入部の正面断面図
【図４】  同厨芥処理装置排気経路の概略断面図
【図５】  同厨芥処理装置の動作説明のための投入部断面図
【図６】  同厨芥処理装置の動作説明のための断面図
【図７】  第２の実施例を示す厨芥処理装置の断面図
【図８】  同厨芥処理装置投入部の断面図
【図９】  従来の厨芥乾燥処理機の断面図
【符号の説明】
１    厨芥収納容器
５    蓋
７    ファン
１１  排水タンク
１６  厨芥収納容器
１８  厨芥
２０  回転刃（撹拌手段）
２１  撹拌モーター（撹拌手段）
２２  スライドガイド
３９  排出経路
４０  送風ファン（加熱手段）
４１  ヒーター（加熱手段）
４５  厨芥投入部
４８  支持部材
５０  回転軸
５１  凹部
５６  流し台
６０  モーター
７０  トラップ
７２  逆止弁
７６  排気ファン
８５  厨芥投入部
８７  厨芥投入パイプ
８８  排水溝
８９  蓋
【図１】
0003753129.tif 000002
【図２】
0003753129.tif 000003
【図３】
0003753129.tif 000004
【図４】
0003753129.tif 000005
【図５】
0003753129.tif 000006
【図６】
0003753129.tif 000007
【図７】
0003753129.tif 000008
【図８】
0003753129.tif 000009
【図９】
0003753129.tif 000010